(57)【要約】      （修正有）【課題】コーヒーをコーヒーカップに保存することができ、熱湯を注ぐだけでリアルタイムにコーヒーを飲むことができる携帯式コーヒーカップを提供する。【解決手段】カップ１１の中には上に開口した貯水チャンバ１２が設けられ、カップの右端にはハンドル１３が固定的に設けられ、貯水チャンバの右側にはコーヒー粉供給装置１０１が設けられ、、コーヒー粉供給口１４の中にはバリア板１５が設けられる。コーヒーを作るとき、プレス板３０を押し下げ、コーヒー粉末が前記貯水チャンバに落ち、熱湯を加えてかき混ぜる。【選択図】図１
2020175123.tif 000002
【特許請求の範囲】
【請求項１】
携帯式コーヒーを作られるカップであり、カップを含み、前記カップの中には上に開口した貯水チャンバが設けられ、前記カップの右端にはハンドルが固定的に設けられ、前記貯水チャンバの右側にはコーヒー粉供給装置が設けられ、前記コーヒー粉供給装置の下側には制御装置が設けられ、前記コーヒー粉供給装置の上側には密封装置が設けられ、前記コーヒー粉供給装置は前記貯水チャンバの右側上端に連通して設けられるコーヒー粉供給口を含み、前記コーヒー粉供給口の中にはバリア板が設けられ、前記バリア板の中には通し口が左右に貫通して設けられ、前記コーヒー粉供給口の右側には上に開口した貯蔵チャンバが連通して設けられ、前記貯蔵チャンバの中には昇降板がスライドできるように設けられ、前記バリア板が降下すると、前記通し口は前記コーヒー粉供給口と相通し、このとき、前記昇降板が上昇し、ある程度の量のコーヒー粉末が前記貯水チャンバに落ちることができ、前記制御装置は前記貯蔵チャンバの下側に設けられ且つ右に開口した制御チャンバを含み、前記制御チャンバの中には従動傘歯車が回転できるように設けられ、前記従動傘歯車の左端には前記従動傘歯車と噛み合える左傘歯車が回転できるように設けられ、前記左傘歯車が前記バリア板に連結され、前記従動傘歯車の右端には前記従動傘歯車と噛み合える右傘歯車が回転できるように設けられ、前記右傘歯車の右端には回転つまみが連結され、前記密封装置は前記貯蔵チャンバに設けられる密封板を含み、前記密封板の右端上側には押圧板が設けられ、前記押圧板を押すと、前記密封板を引き動かして移動させることができ、
前記バリア板を押すと、少量のコーヒーを取り出すことができ、前記回転つまみによってより多くのコーヒーを取り出すことができ、前記昇降板を連動させて復帰させることを特徴とする携帯式コーヒーを作られるカップ。
【請求項２】
前記コーヒー粉供給装置は前記コーヒー粉供給口の上下両壁に貫通して設けられるバリア板チャンバを含み、前記バリア板が前記バリア板チャンバの中にスライドできるように設けられ、前記バリア板チャンバの上側には上に開口したスライドロッドチャンバが連通して設けられ、前記バリア板の上端は前記スライドロッドチャンバの中に伸びていて連結ロッドと固定的に連結され、前記連結ロッドの下端と前記スライドロッドチャンバの下壁との間には押圧バネが固定的に連結され、前記連結ロッドの上端は外部に伸びており、且つ前記連結ロッドの上端にはプレス板が固定的に設けられ、前記昇降板の中には下に開口したねじ山チャンバが設けられ、前記ねじ山チャンバの中にはスクリューがねじ山によって連結され、前記スクリューの下端は前記制御チャンバの中に伸びていて前記従動傘歯車に固定的に連結され、
前記プレス板を押すと、コーヒー粉末を一回で定量的に添加できることを特徴とする請求項１に記載の携帯式コーヒーを作られるカップ。
【請求項３】
前記制御装置は前記制御チャンバの左側に設けられ且つ前記バリア板チャンバの下側に連通する伝動チャンバを含み、前記バリア板の下端には前記伝動チャンバの中に伸びているラックが固定的に連結され、前記ラックの前端には歯車が回転できるように設けられ、前記歯車の中には右に開口したラチェットチャンバが設けられ、前記ラチェットチャンバの中にはラチェットが一方向に噛み合って設けられ、前記ラチェットの右端にはスプライン軸が固定的に連結され、前記制御チャンバの中には左スライド板がスライドできるように設けられ、前記左スライド板の中には連動軸が左右に貫通し且つ回転できるように設けられ、前記連動軸の中には左に開口したスプライン孔が設けられ、前記スプライン軸の右端は前記スプライン孔の中に伸びており、前記左傘歯車が前記連動軸の右端に固定的に連結され、前記左スライド板の右端面の下端には下スライド板が固定的に連結され、前記下スライド板の右端には右スライド板が固定的に設けられ、前記右スライド板の中には回転軸が設けられ、前記右傘歯車が前記回転軸の左端が固定的に連結され、前記回転つまみが前記回転軸の右端に固定的に連結され、前記制御チャンバの下壁の中には復帰チャンバが連通して設けられ、前記下スライド板の下端には前記復帰チャンバの中に伸びている復帰ブロックが固定的に設けられ、前記復帰ブロックの左端と前記復帰チャンバの左壁との間には復帰バネが固定的に連結され、
前記回転つまみを左に押して回転させると、一回でのコーヒー粉末の添加量を手動で制御し、前記昇降板を連動させて復帰させることができることを特徴とする請求項１に記載の携帯式コーヒーを作られるカップ。
【請求項４】
前記密封装置は前記貯水チャンバの右壁上端に連通して設けられるスライド板チャンバを含み、前記密封板が前記スライド板チャンバの中にスライドできるように設けられ、前記密封板の左端は前記貯水チャンバの中に伸びており且つ前記密封板の下端には位置制限ブロックが固定的に設けられ、前記密封板の中には押圧板チャンバが設けられ、前記押圧板チャンバの中には押圧板がスライドできるように設けられ、前記押圧板の下端と前記押圧板チャンバの下壁には圧縮バネが固定的に連結され、前記押圧板の上側端面の右端には外部に延びている押えロッドが固定的に連結され、前記押圧板が前記押えロッドの上端に固定的に連結され、前記押圧板の上側端面の左端には引掛りブロックが固定的に連結され、前記スライド板チャンバの上壁には前記引掛りブロックに対応して引掛り溝が連通して設けられ、
前記引掛りブロックが前記引掛り溝の中に引っかかってロックし、押圧板を押してロックを解除することを特徴とする請求項１に記載の携帯式コーヒーを作られるカップ。
【発明の詳細な説明】
【技術分野】
【０００１】
本発明は生活用品分野を取り上げて、具体的には携帯式コーヒーを作られるカップである。
【背景技術】
【０００２】
今多くの人がコーヒーを飲むのが好きで、便利のために直接コーヒー粉末を入れて飲み、しかし自分自身がコーヒー粉を持参していつでも飲め、コーヒーを別に保管することは非常に不便で、それ故、携帯式コーヒーを作られるカップが緊急に必要とされ、本装置はコーヒーをコーヒーカップに保存することができ、本装置を持つと水だけでリアルタイムにコーヒーを飲み、同時に、コーヒーを需要に応じてさまざまな方法でいれることができる。
【先行技術文献】
【特許文献】
【０００３】
【特許文献１】中国特許出願公開第107595052号明細書
【発明の概要】
【発明が解決しようとする課題】
【０００４】
本発明は携帯式コーヒーを作られるカップを提供し、既存技術にある上記の欠点を解消することを目的とする。
【課題を解決するための手段】
【０００５】
本発明の携帯式コーヒーを作られるカップは、カップを含み、前記カップの中には上に開口した貯水チャンバが設けられ、前記カップの右端にはハンドルが固定的に設けられ、前記貯水チャンバの右側にはコーヒー粉供給装置が設けられ、前記コーヒー粉供給装置の下側には制御装置が設けられ、前記コーヒー粉供給装置の上側には密封装置が設けられ、前記コーヒー粉供給装置は前記貯水チャンバの右側上端に連通して設けられるコーヒー粉供給口を含み、前記コーヒー粉供給口の中にはバリア板が設けられ、前記バリア板の中には通し口が左右に貫通して設けられ、前記コーヒー粉供給口の右側には上に開口した貯蔵チャンバが連通して設けられ、前記貯蔵チャンバの中には昇降板がスライドできるように設けられ、前記バリア板が降下すると、前記通し口は前記コーヒー粉供給口と相通し、このとき、前記昇降板が上昇し、ある程度の量のコーヒー粉末が前記貯水チャンバに落ちることができ、前記制御装置は前記貯蔵チャンバの下側に設けられ且つ右に開口した制御チャンバを含み、前記制御チャンバの中には従動傘歯車が回転できるように設けられ、前記従動傘歯車の左端には前記従動傘歯車と噛み合える左傘歯車が回転できるように設けられ、前記左傘歯車が前記バリア板に連結され、前記従動傘歯車の右端には前記従動傘歯車と噛み合える右傘歯車が回転できるように設けられ、前記右傘歯車の右端には回転つまみが連結され、前記密封装置は前記貯蔵チャンバに設けられる密封板を含み、前記密封板の右端上側には押圧板が設けられ、前記押圧板を押すと、前記密封板を引き動かして移動させることができ、
前記バリア板を押すと、少量のコーヒーを取り出すことができ、前記回転つまみによってより多くのコーヒーを取り出すことができ、前記昇降板を連動させて復帰させる。
【０００６】
有益的には、前記コーヒー粉供給装置は前記コーヒー粉供給口の上下両壁に貫通して設けられるバリア板チャンバを含み、前記バリア板が前記バリア板チャンバの中にスライドできるように設けられ、前記バリア板チャンバの上側には上に開口したスライドロッドチャンバが連通して設けられ、前記バリア板の上端は前記スライドロッドチャンバの中に伸びていて連結ロッドと固定的に連結され、前記連結ロッドの下端と前記スライドロッドチャンバの下壁との間には押圧バネが固定的に連結され、前記連結ロッドの上端は外部に伸びており、且つ前記連結ロッドの上端にはプレス板が固定的に設けられ、前記昇降板の中には下に開口したねじ山チャンバが設けられ、前記ねじ山チャンバの中にはスクリューがねじ山によって連結され、前記スクリューの下端は前記制御チャンバの中に伸びていて前記従動傘歯車に固定的に連結され、
前記プレス板を押すと、コーヒー粉末を一回で定量的に添加できる。
【０００７】
有益的には、前記制御装置は前記制御チャンバの左側に設けられ且つ前記バリア板チャンバの下側に連通する伝動チャンバを含み、前記バリア板の下端には前記伝動チャンバの中に伸びているラックが固定的に連結され、前記ラックの前端には歯車が回転できるように設けられ、前記歯車の中には右に開口したラチェットチャンバが設けられ、前記ラチェットチャンバの中にはラチェットが一方向に噛み合って設けられ、前記ラチェットの右端にはスプライン軸が固定的に連結され、前記制御チャンバの中には左スライド板がスライドできるように設けられ、前記左スライド板の中には連動軸が左右に貫通し且つ回転できるように設けられ、前記連動軸の中には左に開口したスプライン孔が設けられ、前記スプライン軸の右端は前記スプライン孔の中に伸びており、前記左傘歯車が前記連動軸の右端に固定的に連結され、前記左スライド板の右端面の下端には下スライド板が固定的に連結され、前記下スライド板の右端には右スライド板が固定的に設けられ、前記右スライド板の中には回転軸が設けられ、前記右傘歯車が前記回転軸の左端が固定的に連結され、前記回転つまみが前記回転軸の右端に固定的に連結され、前記制御チャンバの下壁の中には復帰チャンバが連通して設けられ、前記下スライド板の下端には前記復帰チャンバの中に伸びている復帰ブロックが固定的に設けられ、前記復帰ブロックの左端と前記復帰チャンバの左壁との間には復帰バネが固定的に連結され、
前記回転つまみを左に押して回転させると、一回でのコーヒー粉末の添加量を手動で制御し、前記昇降板を連動させて復帰させることができる。
【０００８】
有益的には、前記密封装置は前記貯水チャンバの右壁上端に連通して設けられるスライド板チャンバを含み、前記密封板が前記スライド板チャンバの中にスライドできるように設けられ、前記密封板の左端は前記貯水チャンバの中に伸びており且つ前記密封板の下端には位置制限ブロックが固定的に設けられ、前記密封板の中には押圧板チャンバが設けられ、前記押圧板チャンバの中には押圧板がスライドできるように設けられ、前記押圧板の下端と前記押圧板チャンバの下壁には圧縮バネが固定的に連結され、前記押圧板の上側端面の右端には外部に延びている押えロッドが固定的に連結され、前記押圧板が前記押えロッドの上端に固定的に連結され、前記押圧板の上側端面の左端には引掛りブロックが固定的に連結され、前記スライド板チャンバの上壁には前記引掛りブロックに対応して引掛り溝が連通して設けられ、
前記引掛りブロックが前記引掛り溝の中に引っかかってロックし、押圧板を押してロックを解除する。
【発明の効果】
【０００９】
本発明の有益な効果は：本発明は構造が簡単で、操作が便利で、本装置によってコーヒー粉をコーヒーカップに貯えることができ、本装置を持って熱湯を注ぐだけでいつでもコーヒーを飲め、同時に、需要に応じてさまざまな方式でコーヒー粉を入れることができる。
【図面の簡単な説明】
【００１０】
【図１】図１は本発明の携帯式コーヒーを作られるカップの内部全体構成略図
【図２】図２は本発明の図１におけるＡの拡大図
【図３】図３は本発明の図１におけるＢの拡大図
【発明を実施するための形態】
【００１１】
下記に図１〜３を合わせて本発明について詳しく説明する。説明を便利にさせるように、ここで下記の方位に規定する：下記の上下左右前後という方向は図１の自身の投影関係の上下左右前後の方向と一致する。
【００１２】
図１〜３を参照し、本発明の実施例の携帯式コーヒーを作られるカップは、カップ１１を含み、前記カップ１１の中には上に開口した貯水チャンバ１２が設けられ、前記カップ１１の右端にはハンドル１３が固定的に設けられ、前記貯水チャンバ１２の右側にはコーヒー粉供給装置１０１が設けられ、前記コーヒー粉供給装置１０１の下側には制御装置１０２が設けられ、前記コーヒー粉供給装置１０１の上側には密封装置１０３が設けられ、前記コーヒー粉供給装置１０１は前記貯水チャンバ１２の右側上端に連通して設けられるコーヒー粉供給口１４を含み、前記コーヒー粉供給口１４の中にはバリア板１５が設けられ、前記バリア板１５の中には通し口１６が左右に貫通して設けられ、前記コーヒー粉供給口１４の右側には上に開口した貯蔵チャンバ１７が連通して設けられ、前記貯蔵チャンバ１７の中には昇降板１８がスライドできるように設けられ、前記バリア板１５が降下すると、前記通し口１６は前記コーヒー粉供給口１４と相通し、このとき、前記昇降板１８が上昇し、ある程度の量のコーヒー粉末が前記貯水チャンバ１２に落ちることができ、前記制御装置１０２は前記貯蔵チャンバ１７の下側に設けられ且つ右に開口した制御チャンバ１９を含み、前記制御チャンバ１９の中には従動傘歯車２０が回転できるように設けられ、前記従動傘歯車２０の左端には前記従動傘歯車２０と噛み合える左傘歯車２１が回転できるように設けられ、前記左傘歯車２１が前記バリア板１５に連結され、前記従動傘歯車２０の右端には前記従動傘歯車２０と噛み合える右傘歯車２２が回転できるように設けられ、前記右傘歯車２２の右端には回転つまみ２３が連結され、前記密封装置１０３は前記貯蔵チャンバ１７に設けられる密封板２４を含み、前記密封板２４の右端上側には押圧板２５が設けられ、前記押圧板２５を押すと、前記密封板２４を引き動かして移動させることができ、
前記バリア板１５を押すと、少量のコーヒーを取り出すことができ、前記回転つまみ２３によってより多くのコーヒーを取り出すことができ、前記昇降板１８を連動させて復帰させる。
【００１３】
有益的には、前記コーヒー粉供給装置１０１は前記コーヒー粉供給口１４の上下両壁に貫通して設けられるバリア板チャンバ２６を含み、前記バリア板１５が前記バリア板チャンバ２６の中にスライドできるように設けられ、前記バリア板チャンバ２６の上側には上に開口したスライドロッドチャンバ２７が連通して設けられ、前記バリア板１５の上端は前記スライドロッドチャンバ２７の中に伸びていて連結ロッド２８と固定的に連結され、前記連結ロッド２８の下端と前記スライドロッドチャンバ２７の下壁との間には押圧バネ２９が固定的に連結され、前記連結ロッド２８の上端は外部に伸びており、且つ前記連結ロッド２８の上端にはプレス板３０が固定的に設けられ、前記昇降板１８の中には下に開口したねじ山チャンバ３１が設けられ、前記ねじ山チャンバ３１の中にはスクリュー３２がねじ山によって連結され、前記スクリュー３２の下端は前記制御チャンバ１９の中に伸びていて前記従動傘歯車２０に固定的に連結され、
前記プレス板３０を押すと、コーヒー粉末を一回で定量的に添加できる。
【００１４】
有益的には、前記制御装置１０２は前記制御チャンバ１９の左側に設けられ且つ前記バリア板チャンバ２６の下側に連通する伝動チャンバ３３を含み、前記バリア板１５の下端には前記伝動チャンバ３３の中に伸びているラック３４が固定的に連結され、前記ラック３４の前端には歯車３５が回転できるように設けられ、前記歯車３５の中には右に開口したラチェットチャンバ３６が設けられ、前記ラチェットチャンバ３６の中にはラチェット３７が一方向に噛み合って設けられ、前記ラチェット３７の右端にはスプライン軸３８が固定的に連結され、前記制御チャンバ１９の中には左スライド板３９がスライドできるように設けられ、前記左スライド板３９の中には連動軸４０が左右に貫通し且つ回転できるように設けられ、前記連動軸４０の中には左に開口したスプライン孔４１が設けられ、前記スプライン軸３８の右端は前記スプライン孔４１の中に伸びており、前記左傘歯車２１が前記連動軸４０の右端に固定的に連結され、前記左スライド板３９の右端面の下端には下スライド板４２が固定的に連結され、前記下スライド板４２の右端には右スライド板４３が固定的に設けられ、前記右スライド板４３の中には回転軸４４が設けられ、前記右傘歯車２２が前記回転軸４４の左端が固定的に連結され、前記回転つまみ２３が前記回転軸４４の右端に固定的に連結され、前記制御チャンバ１９の下壁の中には復帰チャンバ４５が連通して設けられ、前記下スライド板４２の下端には前記復帰チャンバ４５の中に伸びている復帰ブロック４６が固定的に設けられ、前記復帰ブロック４６の左端と前記復帰チャンバ４５の左壁との間には復帰バネ４７が固定的に連結され、
前記回転つまみ２３を左に押して回転させると、一回でのコーヒー粉末の添加量を手動で制御し、前記昇降板１８を連動させて復帰させることができる。  
【００１５】
有益的なには、前記密封装置１０３は前記貯水チャンバ１２の右壁上端に連通して設けられるスライド板チャンバ４８を含み、前記密封板２４が前記スライド板チャンバ４８の中にスライドできるように設けられ、前記密封板２４の左端は前記貯水チャンバ１２の中に伸びており且つ前記密封板２４の下端には位置制限ブロック４９が固定的に設けられ、前記密封板２４の中には押圧板チャンバ５０が設けられ、前記押圧板チャンバ５０の中には押圧板５１がスライドできるように設けられ、前記押圧板５１の下端と前記押圧板チャンバ５０の下壁には圧縮バネ５２が固定的に連結され、前記押圧板５１の上側端面の右端には外部に延びている押えロッド５３が固定的に連結され、前記押圧板２５が前記押えロッド５３の上端に固定的に連結され、前記押圧板５１の上側端面の左端には引掛りブロック５４が固定的に連結され、前記スライド板チャンバ４８の上壁には前記引掛りブロック５４に対応して引掛り溝５５が連通して設けられ、
前記引掛りブロック５４が前記引掛り溝５５の中に引っかかってロックし、押圧板２５を押してロックを解除する。
【００１６】
初期状態では、バリア板１５はコーヒー粉供給口１４を塞ぎ、左傘歯車２１が従動傘歯車２０と噛み合い、右傘歯車２２が従動傘歯車２０と噛み合っていない。
【００１７】
コーヒーを作るとき、プレス板３０を押し、連結ロッド２８によってバリア板１５を連動させて下方に移動させ、このとき、通し口１６がコーヒー粉供給口１４と連通し、ラック３４が下方に移動して歯車とラックとの連結によって歯車３５を回転連動させ、ラチェット３７を回転連動させ、スプライン軸３８および連動軸４０によって左傘歯車２１を回転連動させ、従動傘歯車２０およびスクリュー３２を回転連動させ、昇降板１８を連動させて一定距離に上昇させ、定量のコーヒー粉が前記貯水チャンバ１２に落ち、量を増やしたい時、回転つまみ２３を左に押し、右スライド板４３、下スライド板４２および左スライド板３９を連動させて左に移動させ、右傘歯車２２が従動傘歯車２０と噛み合い、左傘歯車２１が従動傘歯車２０との噛合から離脱し、回転つまみ２３を回転させ、回転軸４４によって右傘歯車２２を回転連動させ、歯車の噛合によって従動傘歯車２０を回転連動させ、昇降板１８がより大きの距離に上昇し、プレス板３０を押し下げ、より多くのコーヒー粉末が前記貯水チャンバ１２に落ち、熱湯を加えてかき混ぜればよく、
貯蔵チャンバ１７の中にコーヒー粉を  入れるとき、回転つまみ２３を左に押して反転させ、昇降板１８を連動させて降下させ、押圧板２５を押し、押えロッド５３が押圧板５１を連動させて降下させて引掛りブロック５４を連動させて下方に引掛り槽５５から離れ、密封板２４を右に引っ張り、貯蔵チャンバ１７の中に適量のコーヒー粉末をいれる。
【００１８】
本発明の有益な効果は：本発明は構造が簡単で、操作が便利で、本装置によってコーヒー粉をコーヒーカップに貯えることができ、本装置を持って熱湯を注ぐだけでいつでもコーヒーを飲め、同時に、需要に応じてさまざまな方式でコーヒー粉を入れることができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175123.tif 000003
【図２】
2020175123.tif 000004
【図３】
2020175123.tif 000005
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
携帯式コーヒーを作られるカップであり、カップを含み、前記カップの中には上に開口し
た貯水チャンバが設けられ、前記カップの右端にはハンドルが固定的に設けられ、前記貯水チャンバの右側にはコーヒー粉供給装置が設けられ、前記コーヒー粉供給装置の下側には制御装置が設けられ、前記コーヒー粉供給装置の上側には密封装置が設けられ、前記コーヒー粉供給装置は前記貯水チャンバの右側上端に連通して設けられるコーヒー粉供給口を含み、前記コーヒー粉供給口の中にはバリア板が設けられ、前記バリア板の中には通し口が左右に貫通して設けられ、前記コーヒー粉供給口の右側には上に開口した貯蔵チャンバが連通して設けられ、前記貯蔵チャンバの中には昇降板がスライドできるように設けられ、前記バリア板が降下すると、前記通し口は前記コーヒー粉供給口と相通し、このとき、前記昇降板が上昇し、ある程度の量のコーヒー粉末が前記貯水チャンバに落ちることができ、前記制御装置は前記貯蔵チャンバの下側に設けられ且つ右に開口した制御チャンバを含み、前記制御チャンバの中には従動傘歯車が回転できるように設けられ、前記従動傘歯車の左端には前記従動傘歯車と噛み合える左傘歯車が回転できるように設けられ、前記左傘歯車が前記バリア板に連結され、前記従動傘歯車の右端には前記従動傘歯車と噛み合える右傘歯車が回転できるように設けられ、前記右傘歯車の右端には回転つまみが連結され、前記密封装置は前記貯蔵チャンバに設けられる密封板を含み、前記密封板の右端上側には押圧板が設けられ、前記押圧板を押すと、前記密封板を引き動かして移動させることができ、
前記バリア板を押すと、少量のコーヒーを取り出すことができ、前記回転つまみによってより多くのコーヒーを取り出すことができ、前記昇降板を連動させて復帰させることを特徴とする携帯式コーヒーを作られるカップ。
【請求項２】
前記コーヒー粉供給装置は前記コーヒー粉供給口の上下両壁に貫通して設けられるバリア板チャンバを含み、前記バリア板が前記バリア板チャンバの中にスライドできるように設けられ、前記バリア板チャンバの上側には上に開口したスライドロッドチャンバが連通して設けられ、前記バリア板の上端は前記スライドロッドチャンバの中に伸びていて連結ロッドと固定的に連結され、前記連結ロッドの下端と前記スライドロッドチャンバの下壁との間には押圧バネが固定的に連結され、前記連結ロッドの上端は外部に伸びており、且つ前記連結ロッドの上端にはプレス板が固定的に設けられ、前記昇降板の中には下に開口したねじ山チャンバが設けられ、前記ねじ山チャンバの中にはスクリューがねじ山によって連結され、前記スクリューの下端は前記制御チャンバの中に伸びていて前記従動傘歯車に固定的に連結され、
前記プレス板を押すと、コーヒー粉末を一回で定量的に添加できることを特徴とする請求項１に記載の携帯式コーヒーを作られるカップ。
【請求項３】
前記制御装置は前記制御チャンバの左側に設けられ且つ前記バリア板チャンバの下側に連通する伝動チャンバを含み、前記バリア板の下端には前記伝動チャンバの中に伸びているラックが固定的に連結され、前記ラックの前端には歯車が回転できるように設けられ、前記歯車の中には右に開口したラチェットチャンバが設けられ、前記ラチェットチャンバの中にはラチェットが一方向に噛み合って設けられ、前記ラチェットの右端にはスプライン軸が固定的に連結され、前記制御チャンバの中には左スライド板がスライドできるように設けられ、前記左スライド板の中には連動軸が左右に貫通し且つ回転できるように設けられ、前記連動軸の中には左に開口したスプライン孔が設けられ、前記スプライン軸の右端は前記スプライン孔の中に伸びており、前記左傘歯車が前記連動軸の右端に固定的に連結され、前記左スライド板の右端面の下端には下スライド板が固定的に連結され、前記下スライド板の右端には右スライド板が固定的に設けられ、前記右スライド板の中には回転軸が設けられ、前記右傘歯車が前記回転軸の左端が固定的に連結され、前記回転つまみが前記回転軸の右端に固定的に連結され、前記制御チャンバの下壁の中には復帰チャンバが連通して設けられ、前記下スライド板の下端には前記復帰チャンバの中に伸びている復帰ブロックが固定的に設けられ、前記復帰ブロックの左端と前記復帰チャンバの左壁との間には復帰バネが固定的に連結され、
前記回転つまみを左に押して回転させると、一回でのコーヒー粉末の添加量を手動で制御し、前記昇降板を連動させて復帰させることができることを特徴とする請求項２に記載の携帯式コーヒーを作られるカップ。
【請求項４】
前記密封装置は前記貯水チャンバの右壁上端に連通して設けられるスライド板チャンバを含み、前記密封板が前記スライド板チャンバの中にスライドできるように設けられ、前記密封板の左端は前記貯蔵チャンバの中に伸びており且つ前記密封板の下端には位置制限ブロックが固定的に設けられ、前記密封板の中には押圧板チャンバが設けられ、前記押圧板チャンバの中には押圧板がスライドできるように設けられ、前記押圧板の下端と前記押圧板チャンバの下壁には圧縮バネが固定的に連結され、前記押圧板の上側端面の右端には外部に延びている押えロッドが固定的に連結され、前記押圧板が前記押えロッドの上端に固定的に連結され、前記押圧板の上側端面の左端には引掛りブロックが固定的に連結され、前記スライド板チャンバの上壁には前記引掛りブロックに対応して引掛り溝が連通して設けられ、
前記引掛りブロックが前記引掛り溝の中に引っかかってロックし、押圧板を押してロックを解除することを特徴とする請求項１に記載の携帯式コーヒーを作られるカップ。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には携帯式コーヒーを作られるカップである。
【背景技術】
【０００２】
今多くの人がコーヒーを飲むのが好きで、便利のために直接コーヒー粉末を入れて飲み、しかし自分自身がコーヒー粉を持参していつでも飲め、コーヒーを別に保管することは非常に不便で、それ故、携帯式コーヒーを作られるカップが緊急に必要とされ、本装置はコーヒーをコーヒーカップに保存することができ、本装置を持つと水だけでリアルタイムにコーヒーを飲み、同時に、コーヒーを需要に応じてさまざまな方法でいれることができる。
【先行技術文献】
【特許文献】
【０００３】
【特許文献１】中国特許出願公開第１０７５９５０５２号明細書
【発明の概要】
【発明が解決しようとする課題】
【０００４】
本発明は携帯式コーヒーを作られるカップを提供し、既存技術にある上記の欠点を解消することを目的とする。
【課題を解決するための手段】
【０００５】
本発明の携帯式コーヒーを作られるカップは、カップを含み、前記カップの中には上に開口した貯水チャンバが設けられ、前記カップの右端にはハンドルが固定的に設けられ、前記貯水チャンバの右側にはコーヒー粉供給装置が設けられ、前記コーヒー粉供給装置の下側には制御装置が設けられ、前記コーヒー粉供給装置の上側には密封装置が設けられ、前記コーヒー粉供給装置は前記貯水チャンバの右側上端に連通して設けられるコーヒー粉供給口を含み、前記コーヒー粉供給口の中にはバリア板が設けられ、前記バリア板の中には通し口が左右に貫通して設けられ、前記コーヒー粉供給口の右側には上に開口した貯蔵チャンバが連通して設けられ、前記貯蔵チャンバの中には昇降板がスライドできるように設けられ、前記バリア板が降下すると、前記通し口は前記コーヒー粉供給口と相通し、このとき、前記昇降板が上昇し、ある程度の量のコーヒー粉末が前記貯水チャンバに落ちることができ、前記制御装置は前記貯蔵チャンバの下側に設けられ且つ右に開口した制御チャンバを含み、前記制御チャンバの中には従動傘歯車が回転できるように設けられ、前記従動傘歯車の左端には前記従動傘歯車と噛み合える左傘歯車が回転できるように設けられ、前記左傘歯車が前記バリア板に連結され、前記従動傘歯車の右端には前記従動傘歯車と噛み合える右傘歯車が回転できるように設けられ、前記右傘歯車の右端には回転つまみが連結され、前記密封装置は前記貯蔵チャンバに設けられる密封板を含み、前記密封板の右端上側には押圧板が設けられ、前記押圧板を押すと、前記密封板を引き動かして移動させることができ、
前記バリア板を押すと、少量のコーヒーを取り出すことができ、前記回転つまみによってより多くのコーヒーを取り出すことができ、前記昇降板を連動させて復帰させる。
【０００６】
有益的には、前記コーヒー粉供給装置は前記コーヒー粉供給口の上下両壁に貫通して設けられるバリア板チャンバを含み、前記バリア板が前記バリア板チャンバの中にスライドできるように設けられ、前記バリア板チャンバの上側には上に開口したスライドロッドチャンバが連通して設けられ、前記バリア板の上端は前記スライドロッドチャンバの中に伸びていて連結ロッドと固定的に連結され、前記連結ロッドの下端と前記スライドロッドチャンバの下壁との間には押圧バネが固定的に連結され、前記連結ロッドの上端は外部に伸びており、且つ前記連結ロッドの上端にはプレス板が固定的に設けられ、前記昇降板の中には下に開口したねじ山チャンバが設けられ、前記ねじ山チャンバの中にはスクリューがねじ山によって連結され、前記スクリューの下端は前記制御チャンバの中に伸びていて前記従動傘歯車に固定的に連結され、
前記プレス板を押すと、コーヒー粉末を一回で定量的に添加できる。
【０００７】
有益的には、前記制御装置は前記制御チャンバの左側に設けられ且つ前記バリア板チャンバの下側に連通する伝動チャンバを含み、前記バリア板の下端には前記伝動チャンバの中に伸びているラックが固定的に連結され、前記ラックの前端には歯車が回転できるように設けられ、前記歯車の中には右に開口したラチェットチャンバが設けられ、前記ラチェットチャンバの中にはラチェットが一方向に噛み合って設けられ、前記ラチェットの右端にはスプライン軸が固定的に連結され、前記制御チャンバの中には左スライド板がスライドできるように設けられ、前記左スライド板の中には連動軸が左右に貫通し且つ回転できるように設けられ、前記連動軸の中には左に開口したスプライン孔が設けられ、前記スプライン軸の右端は前記スプライン孔の中に伸びており、前記左傘歯車が前記連動軸の右端に固定的に連結され、前記左スライド板の右端面の下端には下スライド板が固定的に連結され、前記下スライド板の右端には右スライド板が固定的に設けられ、前記右スライド板の中には回転軸が設けられ、前記右傘歯車が前記回転軸の左端が固定的に連結され、前記回転つまみが前記回転軸の右端に固定的に連結され、前記制御チャンバの下壁の中には復帰チャンバが連通して設けられ、前記下スライド板の下端には前記復帰チャンバの中に伸びている復帰ブロックが固定的に設けられ、前記復帰ブロックの左端と前記復帰チャンバの左壁との間には復帰バネが固定的に連結され、
前記回転つまみを左に押して回転させると、一回でのコーヒー粉末の添加量を手動で制御し、前記昇降板を連動させて復帰させることができる。
【０００８】
有益的には、前記密封装置は前記貯水チャンバの右壁上端に連通して設けられるスライド板チャンバを含み、前記密封板が前記スライド板チャンバの中にスライドできるように設けられ、前記密封板の左端は前記貯蔵チャンバの中に伸びており且つ前記密封板の下端には位置制限ブロックが固定的に設けられ、前記密封板の中には押圧板チャンバが設けられ、前記押圧板チャンバの中には押圧板がスライドできるように設けられ、前記押圧板の下端と前記押圧板チャンバの下壁には圧縮バネが固定的に連結され、前記押圧板の上側端面の右端には外部に延びている押えロッドが固定的に連結され、前記押圧板が前記押えロッドの上端に固定的に連結され、前記押圧板の上側端面の左端には引掛りブロックが固定的に連結され、前記スライド板チャンバの上壁には前記引掛りブロックに対応して引掛り溝が連通して設けられ、
前記引掛りブロックが前記引掛り溝の中に引っかかってロックし、押圧板を押してロックを解除する。
【発明の効果】
【０００９】
本発明の有益な効果は：本発明は構造が簡単で、操作が便利で、本装置によってコーヒー粉をコーヒーカップに貯えることができ、本装置を持って熱湯を注ぐだけでいつでもコーヒーを飲め、同時に、需要に応じてさまざまな方式でコーヒー粉を入れることができる。
【図面の簡単な説明】
【００１０】
【図１】図１は本発明の携帯式コーヒーを作られるカップの内部全体構成略図
【図２】図２は本発明の図１におけるＡの拡大図
【図３】図３は本発明の図１におけるＢの拡大図
【発明を実施するための形態】
【００１１】
下記に図１〜３を合わせて本発明について詳しく説明する。説明を便利にさせるように、ここで下記の方位に規定する：下記の上下左右前後という方向は図１の自身の投影関係の上下左右前後の方向と一致する。
【００１２】
図１〜３を参照し、本発明の実施例の携帯式コーヒーを作られるカップは、カップ１１を含み、前記カップ１１の中には上に開口した貯水チャンバ１２が設けられ、前記カップ１１の右端にはハンドル１３が固定的に設けられ、前記貯水チャンバ１２の右側にはコーヒー粉供給装置１０１が設けられ、前記コーヒー粉供給装置１０１の下側には制御装置１０２が設けられ、前記コーヒー粉供給装置１０１の上側には密封装置１０３が設けられ、前記コーヒー粉供給装置１０１は前記貯水チャンバ１２の右側上端に連通して設けられるコーヒー粉供給口１４を含み、前記コーヒー粉供給口１４の中にはバリア板１５が設けられ、前記バリア板１５の中には通し口１６が左右に貫通して設けられ、前記コーヒー粉供給口１４の右側には上に開口した貯蔵チャンバ１７が連通して設けられ、前記貯蔵チャンバ１７の中には昇降板１８がスライドできるように設けられ、前記バリア板１５が降下すると、前記通し口１６は前記コーヒー粉供給口１４と相通し、このとき、前記昇降板１８が上昇し、ある程度の量のコーヒー粉末が前記貯水チャンバ１２に落ちることができ、前記制御装置１０２は前記貯蔵チャンバ１７の下側に設けられ且つ右に開口した制御チャンバ１９を含み、前記制御チャンバ１９の中には従動傘歯車２０が回転できるように設けられ、前記従動傘歯車２０の左端には前記従動傘歯車２０と噛み合える左傘歯車２１が回転できるように設けられ、前記左傘歯車２１が前記バリア板１５に連結され、前記従動傘歯車２０の右端には前記従動傘歯車２０と噛み合える右傘歯車２２が回転できるように設けられ、前記右傘歯車２２の右端には回転つまみ２３が連結され、前記密封装置１０３は前記貯蔵チャンバ１７に設けられる密封板２４を含み、前記密封板２４の右端上側には押圧板２５が設けられ、前記押圧板２５を押すと、前記密封板２４を引き動かして移動させることができ、
前記バリア板１５を押すと、少量のコーヒーを取り出すことができ、前記回転つまみ２３によってより多くのコーヒーを取り出すことができ、前記昇降板１８を連動させて復帰させる。
【００１３】
有益的には、前記コーヒー粉供給装置１０１は前記コーヒー粉供給口１４の上下両壁に貫通して設けられるバリア板チャンバ２６を含み、前記バリア板１５が前記バリア板チャンバ２６の中にスライドできるように設けられ、前記バリア板チャンバ２６の上側には上に開口したスライドロッドチャンバ２７が連通して設けられ、前記バリア板１５の上端は前記スライドロッドチャンバ２７の中に伸びていて連結ロッド２８と固定的に連結され、前記連結ロッド２８の下端と前記スライドロッドチャンバ２７の下壁との間には押圧バネ２９が固定的に連結され、前記連結ロッド２８の上端は外部に伸びており、且つ前記連結ロッド２８の上端にはプレス板３０が固定的に設けられ、前記昇降板１８の中には下に開口したねじ山チャンバ３１が設けられ、前記ねじ山チャンバ３１の中にはスクリュー３２がねじ山によって連結され、前記スクリュー３２の下端は前記制御チャンバ１９の中に伸びていて前記従動傘歯車２０に固定的に連結され、
前記プレス板３０を押すと、コーヒー粉末を一回で定量的に添加できる。
【００１４】
有益的には、前記制御装置１０２は前記制御チャンバ１９の左側に設けられ且つ前記バリア板チャンバ２６の下側に連通する伝動チャンバ３３を含み、前記バリア板１５の下端には前記伝動チャンバ３３の中に伸びているラック３４が固定的に連結され、前記ラック３４の前端には歯車３５が回転できるように設けられ、前記歯車３５の中には右に開口したラチェットチャンバ３６が設けられ、前記ラチェットチャンバ３６の中にはラチェット３７が一方向に噛み合って設けられ、前記ラチェット３７の右端にはスプライン軸３８が固定的に連結され、前記制御チャンバ１９の中には左スライド板３９がスライドできるように設けられ、前記左スライド板３９の中には連動軸４０が左右に貫通し且つ回転できるように設けられ、前記連動軸４０の中には左に開口したスプライン孔４１が設けられ、前記スプライン軸３８の右端は前記スプライン孔４１の中に伸びており、前記左傘歯車２１が前記連動軸４０の右端に固定的に連結され、前記左スライド板３９の右端面の下端には下スライド板４２が固定的に連結され、前記下スライド板４２の右端には右スライド板４３が固定的に設けられ、前記右スライド板４３の中には回転軸４４が設けられ、前記右傘歯車２２が前記回転軸４４の左端が固定的に連結され、前記回転つまみ２３が前記回転軸４４の右端に固定的に連結され、前記制御チャンバ１９の下壁の中には復帰チャンバ４５が連通して設けられ、前記下スライド板４２の下端には前記復帰チャンバ４５の中に伸びている復帰ブロック４６が固定的に設けられ、前記復帰ブロック４６の左端と前記復帰チャンバ４５の左壁との間には復帰バネ４７が固定的に連結され、
前記回転つまみ２３を左に押して回転させると、一回でのコーヒー粉末の添加量を手動で制御し、前記昇降板１８を連動させて復帰させることができる。  
【００１５】
有益的なには、前記密封装置１０３は前記貯水チャンバ１２の右壁上端に連通して設けられるスライド板チャンバ４８を含み、前記密封板２４が前記スライド板チャンバ４８の中にスライドできるように設けられ、前記密封板２４の左端は前記貯蔵チャンバ１７の中に伸びており且つ前記密封板２４の下端には位置制限ブロック４９が固定的に設けられ、前記密封板２４の中には押圧板チャンバ５０が設けられ、前記押圧板チャンバ５０の中には押圧板５１がスライドできるように設けられ、前記押圧板５１の下端と前記押圧板チャンバ５０の下壁には圧縮バネ５２が固定的に連結され、前記押圧板５１の上側端面の右端には外部に延びている押えロッド５３が固定的に連結され、前記押圧板２５が前記押えロッド５３の上端に固定的に連結され、前記押圧板５１の上側端面の左端には引掛りブロック５４が固定的に連結され、前記スライド板チャンバ４８の上壁には前記引掛りブロック５４に対応して引掛り溝５５が連通して設けられ、
前記引掛りブロック５４が前記引掛り溝５５の中に引っかかってロックし、押圧板２５を押してロックを解除する。
【００１６】
初期状態では、バリア板１５はコーヒー粉供給口１４を塞ぎ、左傘歯車２１が従動傘歯車２０と噛み合い、右傘歯車２２が従動傘歯車２０と噛み合っていない。
【００１７】
コーヒーを作るとき、プレス板３０を押し、連結ロッド２８によってバリア板１５を連動させて下方に移動させ、このとき、通し口１６がコーヒー粉供給口１４と連通し、ラック３４が下方に移動して歯車とラックとの連結によって歯車３５を回転連動させ、ラチェット３７を回転連動させ、スプライン軸３８および連動軸４０によって左傘歯車２１を回転連動させ、従動傘歯車２０およびスクリュー３２を回転連動させ、昇降板１８を連動させて一定距離に上昇させ、定量のコーヒー粉が前記貯水チャンバ１２に落ち、量を増やしたい時、回転つまみ２３を左に押し、右スライド板４３、下スライド板４２および左スライド板３９を連動させて左に移動させ、右傘歯車２２が従動傘歯車２０と噛み合い、左傘歯車２１が従動傘歯車２０との噛合から離脱し、回転つまみ２３を回転させ、回転軸４４によって右傘歯車２２を回転連動させ、歯車の噛合によって従動傘歯車２０を回転連動させ、昇降板１８がより大きの距離に上昇し、プレス板３０を押し下げ、より多くのコーヒー粉末が前記貯水チャンバ１２に落ち、熱湯を加えてかき混ぜればよく、
貯蔵チャンバ１７の中にコーヒー粉を  入れるとき、回転つまみ２３を左に押して反転させ、昇降板１８を連動させて降下させ、押圧板２５を押し、押えロッド５３が押圧板５１を連動させて降下させて引掛りブロック５４を連動させて下方に引掛り槽５５から離れ、密封板２４を右に引っ張り、貯蔵チャンバ１７の中に適量のコーヒー粉末をいれる。
【００１８】
本発明の有益な効果は：本発明は構造が簡単で、操作が便利で、本装置によってコーヒー粉をコーヒーカップに貯えることができ、本装置を持って熱湯を注ぐだけでいつでもコーヒーを飲め、同時に、需要に応じてさまざまな方式でコーヒー粉を入れることができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。